(57)【特許請求の範囲】
【請求項１】
保留部材の操作によって、電話回線を介して通信相手に対し保留音を送出することができる電話装置において、
前記保留音が通信用制御信号であると誤検出されるか否かを判断する判断手段とを備え、
前記判断手段が保留音を前記通信用制御信号と誤検出されると判断した際、その旨を警告する警告手段を設けたことを特徴とする電話装置。
【請求項２】
保留部材の操作によって、電話回線を介して通信相手に対し保留音を送出することができる電話装置において、
前記保留音が通信用制御信号であると誤検出されるか否かを判断する判断手段とを備え、
前記判断手段が保留音を前記通信用制御信号と誤検出されると判断した際、前記保留音を変更する変更手段を設けたことを特徴とする電話装置。
【請求項３】
保留部材の操作によって、電話回線を介して通信相手に対し保留音を送出することができる電話装置において、
通信用制御信号を検出する検出手段と、
発生する保留音を前記検出手段に入力して、前記保留音が通信用制御信号であると誤検出するか否かを判断する判断手段とを備え、
前記判断手段が保留音を前記通信用制御信号であると判断した際、その旨を警告する警告手段を設けたことを特徴とする電話装置。
【請求項４】
保留部材の操作によって、電話回線を介して通信相手に対し保留音を送出することができる電話装置において、
通信用制御信号を検出する検出手段と、
発生する保留音を前記検出手段に入力して、前記保留音が通信用制御信号であると誤検出するか否かを判断する判断手段とを備え、
前記判断手段が保留音を前記通信用制御信号であると判断した際、前記保留音を変更する変更手段を設けたことを特徴とする電話装置。
【請求項５】
請求項１乃至請求項５のいずれかに記載の電話装置において、
前記通信用制御信号は、コーリング・トーン（ＣＮＧ）信号またはビジー・トーン信号であることを特徴とする電話装置。
【請求項６】
請求項２または請求項４に記載の電話装置において、
前記変更手段は、前記保留音を編曲する編曲手段であることを特徴とする電話装置。
【請求項７】
請求項２または請求項４に記載の電話装置において、
前記変更手段は、前記保留音の一部を無音にする無音化手段であることを特徴とする電話装置。
【発明の詳細な説明】
【０００１】
【発明の属する技術分野】
本発明は、保留部材の操作によって、電話回線を介して通信相手に対し保留音を送出することができる電話装置に関し、例えばコーリング・トーン（ＣＮＧ）信号等の通信用制御信号を検出する検出手段が、保留音と誤ってＣＮＧ信号等の制御信号と誤検出することを防止できる電話装置に関するものである。
【０００２】
【従来の技術】
従来より、電話回線を介して通信相手との通話に加えて、ファクシミリデータを通信相手に対し送信可能な電話装置が知られている。かかる電話装置は、電話機能とファクシミリ機能との双方を備えているので、ファクシミリ機能の動作時には、ファクシミリデータを送出する前に、ＣＮＧ信号（コーリング・トーン信号）を相手方装置に送出する必要がある。
ところで、電話装置を利用する利用者は、電話回線を介して通信相手と通信中に、何らかの理由で、通話を保留状態にしたい場合があり、保留部材の操作によって、電話回線を介して、通信相手に対し保留音を送出する機能を備える。この保留音は、通常、電話装置の製造者によって作成されているので、保留音として電話回線を介して通信相手に対し送出する際、通信相手において受信する保留音を、受信する通信用制御信号と誤検出しないように設計されている。
【０００３】
【発明が解決しようとする課題】
しかしながら、近年、電話装置においては、保留音を電話装置のユーザーが作曲して、作曲したメロディを電話装置内のメモリに記憶させて使用したり、市販のメロディを購入して、そのメロディを電話装置内のメモリに記憶させて使用することがある。
かかる場合、作曲または購入したメロディは、保留音として電話回線を介して通信相手に対し送出されることになる。しかし、電話装置のユーザーが、作曲または購入したメロディを、電話装置内のメモリに記憶させて通信相手に対し送出する際、通信相手において受信する保留音としてのメロディが、通信用制御信号と誤検出されるか否かを考慮することは考えにくい。そのため、電話装置内のメモリに記憶させて保留音として使用されるメロディ中に、ＣＮＧ信号等の周波数成分が混入する可能性がある。即ち、ＣＮＧ信号は１１００Ｈｚで０．５秒間オン、３秒間オフの信号であるが、保留音としてのメロディー中に、この信号成分が混入することは十分に可能性がある。
このような場合、通信相手であるファクシミリ機能を有する電話装置が、保留音として送出されるメロディ中の信号成分を、例えばＣＮＧ信号等の通信用制御信号と誤検出し、ファクシミリ機能を有する電話装置が、誤ってファクシミリデータの着信処理に移行するおそれがある。
【０００４】
本発明は、前記従来の問題を解決するためになされたものであり、電話回線を介して通信相手に対し送出される保留音に、例えばＣＮＧ信号等の通信用制御信号の信号成分が混入することを防止して、通信相手であるファクシミリ機能を有する電話装置が保留音を通信用制御信号と誤検出して、例えばファクシミリ機能が動作するといった誤動作を防止できる、優れた電話装置を提供することを目的とする。
【０００５】
【課題を解決するための手段】
前記目的を達成するため請求項１に係る電話装置によれば、保留部材の操作によって、電話回線を介して通信相手に対し保留音を送出することができる電話装置において、前記保留音が通信用制御信号であると誤検出されるか否かを判断する判断手段とを備え、前記判断手段が保留音を前記通信用制御信号と誤検出されると判断した際、その旨を警告する警告手段を設けたことを特徴とする。
このような特徴を有する請求項１に記載の電話装置によれば、保留部材の操作によって、電話回線を介して通信相手に対し送出する保留音について、判断手段が、その保留音を通信用制御信号と誤検出されると判断した場合、警告手段がその旨を警告する。
これにより、警告手段より警告を受けた者は、通信相手に対し送出する保留音が、相手方において通信用制御信号と誤検出するおそれがあることが分かるので、保留音を適宜変更することができる。そのため電話回線を介して通信相手に対し送出される保留音に、例えばＣＮＧ信号等の通信用制御信号の信号成分が混入することを防止して、通信相手であるファクシミリ機能を有する電話装置が保留音を通信用制御信号と誤検出して、例えばファクシミリ機能が動作するといった誤動作を防止できる。
【０００６】
また、請求項２に記載の電話装置によれば、保留部材の操作によって、電話回線を介して通信相手に対し保留音を送出することができる電話装置において、前記保留音が通信用制御信号であると誤検出されるか否かを判断する判断手段とを備え、前記判断手段が保留音を前記通信用制御信号と誤検出されると判断した際、前記保留音を変更する変更手段を設けたことを特徴とする。
このような特徴を有する請求項２に記載の電話装置によれば、保留部材の操作によって、電話回線を介して通信相手に対し送出する保留音について、その判断手段が、その保留音を通信用制御信号と誤検出されると判断した場合、変更手段が保留音を変更する。
これにより、通信相手に対し送出する保留音が、相手方において通信用制御信号と誤検出するおそれがある場合、保留音が適宜変更されるので、電話回線を介して通信相手に対し送出される保留音に、例えばＣＮＧ信号等の通信用制御信号の信号成分が混入することを防止することができる。そのため通信相手であるファクシミリ機能を有する電話装置が保留音を通信用制御信号と誤検出して、例えばファクシミリ機能が動作するといった誤動作を防止できる。
【０００７】
また、請求項３に記載の電話装置によれば、保留部材の操作によって、電話回線を介して通信相手に対し保留音を送出することができる電話装置において、通信用制御信号を検出する検出手段と、発生する保留音を前記検出手段に入力して、前記保留音が通信用制御信号であると誤検出するか否かを判断する判断手段とを備え、前記判断手段が保留音を前記通信用制御信号であると判断した際、その旨を警告する警告手段を設けたことを特徴とする。
このような特徴を有する請求項３に記載の電話装置によれば、保留部材の操作によって、電話回線を介して通信相手に対し送出する保留音を検出手段に入力することができるので、その判断手段が、保留音を通信用制御信号と誤検出すると判断した場合、警告手段がその旨を警告する。
これにより、警告手段より警告を受けた者は、通信相手に対し送出する保留音が、相手方において通信用制御信号と誤検出するおそれがあることが分かるので、保留音を適宜変更することができる。その結果、相手方が保留音を誤って制御信号と検出して、誤動作を開始することを防止することができる。
【０００８】
また、請求項４に記載の電話装置によれば、保留部材の操作によって、電話回線を介して通信相手に対し保留音を送出することができる電話装置において、通信用制御信号を検出する検出手段と、発生する保留音を前記検出手段に入力して、前記保留音が通信用制御信号であると誤検出するか否かを判断する判断手段とを備え、前記判断手段が保留音を前記通信用制御信号であると判断した際、前記保留音を変更する変更手段を設けたことを特徴とする。
このような特徴を有する請求項４に記載の電話装置によれば、保留部材の操作によって、電話回線を介して通信相手に対し送出する保留音を検出手段に入力することができるので、その検出手段が、保留音を通信用制御信号と誤検出すると判断した場合、変更手段は保留音を変更する。
【０００９】
また、請求項５に記載に電話装置によれば、請求項１乃至請求項４のいずれかに記載の電話装置において、前記通信用制御信号は、コーリング・トーン（ＣＮＧ）信号またはビジー・トーン信号であることを特徴とする。
このような特徴を有する請求項５に記載の電話装置によれば、保留音が適宜変更される結果、通信相手であるファクシミリ機能を有する電話装置が、変更された保留音を、コーリング・トーン（ＣＮＧ）信号またはビジー・トーン信号と誤検出するのを防止できる。
【００１０】
また、請求項６に記載の電話装置によれば、請求項２または請求項４に記載の電話装置において、 前記変更手段は、前記保留音を編曲する編曲手段であることを特徴とする。
このような特徴を有する請求項６に記載の電話装置によれば、変更手段は、前記保留音を編曲する編曲手段であるので、通信相手に対し送出する保留音が編曲される結果、電話回線を介して通信相手に対し送出される保留音に、例えばＣＮＧ信号等の通信用制御信号の信号成分が混入することを防止することができる。
【００１１】
更に、請求項７に記載の電話装置によれば、請求項２または請求項４に記載の電話装置において、変更手段は、前記保留音の一部を無音にする無音化手段であることを特徴とする。
このような特徴を有する請求項７に記載の電話装置によれば、変更手段は、前記保留音の一部を無音にする無音化手段であるので、通信相手に対し送出する保留音が一部無音化される結果、電話回線を介して通信相手に対し送出される保留音に、例えばＣＮＧ信号等の通信用制御信号の信号成分が混入することを防止することができる。
【００１２】
【発明の実施の形態】
以下、本発明に係る電話装置を、図面を参照しつつ詳細に説明する。この実施の形態の場合、ファクシミリ機能を具備した電話装置において具体化したものであって、最初に、本実施形態に係る電話装置の概略構成について図１に基づき説明する。図１は本実施形態に係る電話装置１の外観斜視図である。
【００１３】
図１において、電話装置１は装置本体２を有し、装置本体２の右側面には、電源コード３及び子機（図示せず）と通話するためのアンテナ４が付設されている。また、装置本体２の上面には操作パネルユニット５が配設されており、かかる操作パネルユニット５には液晶ディスプレイ６が配設され、更に、各種のキー群が配設されている。
また、操作パネルユニット５の後方位置には、原稿用紙をスタックする用紙スタッカ７が設けられており、更に、用紙スタッカ７の後方位置には用紙サポート８が配置されている。尚、装置本体２の左側には受話器載置部９が設けられており、受話器載置部９上には受話器１０が載置される。
【００１４】
次に、前記操作パネルユニット５上に配置されたキー群の機能について、図２に基づき説明する。図２は本実施形態に係る電話装置１の操作パネルユニット５の平面図である。図２において、操作パネルユニット５上で左側位置には、ダイアル入力を行うためのダイアルキー１１が配置されている。かかるダイアルキー１１には、「０」乃至「９」の数値キー、アスタリスクキー１２、及びシャープキー１３が包含されている。また、操作パネルユニット５のダイアルキー１１の右側には、各種機能を選択するための機能ボタン１６等が設けられている。また、操作パネルユニット５の右側下方には、ファクシミリ送信をスタートするスタートキーＰ、及びファクシミリ送信等を停止させる停止ボタン１５等が配置されている。
機能ボタン１６には、ユーザーが作曲または購入したメロディを記憶させる際に操作する保留音記憶ボタン１６ａと、メロディを再生する際に操作する保留音再生ボタン１６ｂとが配置されている他に、そのメロディを、保留音として電話回線を介して通信相手に対し送出する際に、操作する保留音送出ボタン１６ｃが配置されている。これら保留音記憶ボタン１６ａ、保留音再生ボタン１６ｂ及び保留音送出ボタン１６ｃが、電話装置１の利用者が、保留音を相手方電話装置に送出する際等に使用する保留部材として機能する。
【００１５】
続いて、前記電話装置１の制御系について、図３に基づき説明する。図３は本実施形態に係る電話装置１の制御系を示すブロック図である。図３において、電話装置１の制御系は、ＣＰＵを核として構成された制御部１７を有し、電話機能部分とファクシミリ機能部分とを統合制御するものである。制御部１７には、液晶ディスプレイ（ＬＣＤ）６を有する操作パネルユニット５が接続されると共に、読み出し専用の不揮発性メモリとしてのＲＯＭ１８が接続されている他に、揮発性メモリであるＲＡＭあるいは書き換え可能な不揮発性メモリであるフラッシュメモリ等の一時記億メモリ１９が接続されている。また、制御部１７には、音声出力用のスピーカ２３が接続されており、制御部１７の音声再生機能部（メロディ再生機能部）１７ａの作用により、一時記億メモリ１９あるいは保留音データメモリ１９Ａに記憶されている音楽（メロディ）データを音声として出力したりする。
【００１６】
ここに、ＲＯＭ１８には、電話装置１の電話機能部分である通話制御用プログラム、パネルユニット５から入力される各種機能制御用プログラム、ファクシミリ機能部分である読み取り動作及び記録動作用プログラム、更に、回線の切り替え制御等の各種基本動作制御用プログラムの他、保留音が通信用制御信号であると誤検出するか否かを判断する判断用プログラムが格納されている。また、一時記憶メモリ１９には、外部回線２５上に送出する保留音を記憶する保留音データメモリ１９Ａを有している。そして、制御部１７には、ファクシミリ通信のための変復調を行うモデム３０が接続され、このモデム３０と協働して、通信用制御信号を検出する検出手段として機能し、通信相手から送出される通信用制御信号を検出したり、あるいはその逆に通信用制御信号を送出する他に、保留音データメモリ１９Ａに記憶される保留音に、例えばＣＮＧ信号等の通信用制御信号の信号成分が混入しているか否かを検出することができる。
具体的には、例えばＣＮＧ信号は、１１００Ｈｚで０．５秒間オン、３秒間オフの信号周波数成分を有するので、モデム３０にその信号周波数成分が入力された場合、制御部１７によってその旨を検出することができる。もっとも、モデム３０による、１１００Ｈｚの周波数検出と制御部１７による０．５秒間オンの３秒間オフの周期の検出には、若干の周波数偏差とタイミングのずれとを許容するので、保留音データにＣＮＧ信号と近似した信号周波数成分が含まれる場合、その保留音をＣＮＧ信号として誤検出することになる。
【００１７】
また、制御部１７は、ＮＣＵ（ Network Control Unit ）２４が接続され、このＮＣＵ２４は、受話器１０及びＦＡＸ部２１に内部回線２７、２８およびモデム３０等を介して接続されている。そして、制御部１７は、外部回線２５（電話回線）からＮＣＵ２４を介して入力された通信用制御信号等を、モデム３０を介して、あるいは内部回線２６を経て直接入力できる他に、あるいは内部回線２６を経て、モデム３０を介して、通信用制御信号等をＮＣＵ２４を通して外部回線２５に出力するように制御できる。この場合、電話装置１の外部回線２５を介した接続先として、例えば、音楽（メロディ）の配信サービス等を行っているサービス会社と接続したり、あるいはインターネット（コンピュータ・ネットワークが互いに接続し合った世界規模のネットワーク）等に接続するサービス会社（プロバイダー）と契約している場合には、そのアクセスポイントと接続することにより、インターネットを通じて、音楽（メロディ）を受信することができる。
また、制御部１７は、外部回線２５からＮＣＵ２４を介して入力された音声信号等を、受話器１０に出力したり、あるいはＮＣＵ２４を介して外部回線２５に受話器１０から入力された音声信号等を出力するように、ＮＣＵ２４を制御できる。また、制御部１７は、外部回線２５からＮＣＵ２４を介して入力された画像データ等をモデム３０により復調してＦＡＸ部２１に出力したり、あるいはＮＣＵ２４を介して、ＦＡＸ部２１から入力されモデム３０により変調された画像データ等を外部回線２５に出力するように、ＮＣＵ２４を制御できる。
【００１８】
ここで、受話器１０は相手との通話をするためのものである。また、ＦＡＸ部２１は、ＦＡＸデータの送受信を行うものである。このＦＡＸ部２１には、用紙スタッカ７から装置本体２内に送給された原稿の文字、図形等を読み取り、画像データ等をＦＡＸ部２１に出力するための読取スキャナ（図示せず）を含む読取ユニット２０が接続されている。更に、ＦＡＸ部２１には、外部回線２５及び内部回線２８およびモデム３０等を介して受信された画像データを記録紙上に印字する印字ヘッド（図示せず）を含む記録ユニット２２が接続されている。
【００１９】
それにより、外部回線２５からの着信を制御部１７が確認すると呼出音が鳴動し、受話器１０をオフフックすると、ＮＣＵ２４を制御して、発呼側と音声通話を確立することができる。通話を保留状態にするときには、操作ユニットパネル５の保留音送出ボタン１６ｃを押下すれば、音声再生機能部１７ａを有する制御部１７が保留音データメモリ１９Ａに記憶された保留状態を表すメロディ等を音声として再生し、内部回線２６を介して外部回線２５に送出して保留状態になると共に、受話器１０においてもメロディ等を確認することができる。
更に、例えばＣＮＧ信号等の通信用制御信号を検出した場合、電話装置１においては、モデム３０と協働して通信用制御信号を検出する制御部１７が、ＮＣＵ２４およびモデム３０を制御して、ＦＡＸ部２１によりＦＡＸ受信を確立する。その後、発呼側からのファクシミリデータが着信した場合には、ＦＡＸ部２１において受信した画像データを一旦メモリ（一時記憶メモリ１９Ａ）に記憶したのち、あるいは、受信と同時に記録ユニット２２にて記録する。また、例えばＣＮＧ信号等の通信用制御信号を自動的に送出する機能を持つ電話装置１においては、制御部１７がＮＣＵ２４およびモデム３０を制御して、通信用制御信号の送出により、ＦＡＸ部２１においてＦＡＸ送信を確立する。その後、制御部１７は読取ユニット２０から入力された画像データ等をモデム３０およびＮＣＵ２４を介して外部回線２５に出力する。
【００２０】
次に、保留音を保留音データメモリ１９Ａに記憶させる際の動作につき、図４に基づき説明する。図４は、本実施形態の保留音を保留音データメモリ１９Ａに記憶させる際のフローチャートである。この場合、例えば音楽（メロディ）データの配信を行っている会社、あるいは、インターネットへ接続するサービス会社（プロバイダー）と契約しているのであれば、インターネットを通じて、音楽（メロディ）のデータを外部回線２５を介して受信し、この音楽（メロディ）のデータが、制御部１７の制御の下に、一時記億メモリ１９に記憶されている。そして、音楽（メロディ）のデータは、例えばミディ（ＭＩＤＩ：Musical Instrument Digital Interface)のデータからなり、ミディのデータには、少なくとも音符データと音階データとが含まれている。
ステップ（以下、Ｓと略記する。）１において、制御部１７は保留音記憶状態であるか否かを判断する。この判断は、保留音記憶ボタン１６ａが押下されたか否かを制御部１７が検出することにより行う。保留音記憶ボタン１６ａが押下されずに保留音記憶状態でなければ（Ｓ１：ＮＯ）、制御部１７は待機状態に戻る。
【００２１】
反対に、保留音記憶ボタン１６ａが押下されて保留音記憶状態であれば（Ｓ１：ＹＥＳ）、制御部１７は保留音を保留音データメモリ１９Ａに記憶させる記憶動作を行う（Ｓ２）。具体的には、保留音再生ボタン１６ｂの押下により、一時記億メモリ１９に記憶されている音楽（メロディ）のデータを再生する状態であるので、音楽（メロディ）を聴く利用者が、保留音記憶ボタン１６ａを押下して、その一時記億メモリ１９に記憶されている音楽（メロディ）のデータの一部を、保留音として保留音データメモリ１９Ａに記憶させる。
そして、制御部１７は保留音記憶ボタン１６ａがオフか否かを判断する。この判断は、保留音記憶ボタン１６ａが再度押下されたか否かを制御部１７が検出することにより行うことができる。ここで、音楽（メロディ）を聴く利用者が、保留音記憶ボタン１６ａを再度押下して、保留音記憶状態でなければ（Ｓ１：ＮＯ）、制御部１７は待機状態に戻る。保留音記憶ボタン１６ａが再度押下されない場合、制御部１７がＳ２に戻り、記憶動作を継続する。
【００２２】
次に、保留音を保留音データメモリ１９Ａから再生して、保留音が通信用制御信号と誤検出されるか否かの動作について、図５に基づき説明する。図５は、本実施形態の保留音が誤検出するか否かを判断する際のフローチャートである。
Ｓ１１において、制御部１７は保留音再生状態であるか否かを判断する。この判断は、保留音再生ボタン１６ｂが押下されたか否かを制御部１７が検出することにより行う。保留音記憶ボタン１６ａ及び保留音再生ボタン１６ｂの両方が押下されずに、保留音再生状態でなければ（Ｓ１１：ＮＯ）、制御部１７は待機状態に戻る。
【００２３】
反対に、利用者が、保留音記憶ボタン１６ａ及び保留音再生ボタン１６ｂの両方を押下して、保留音再生状態であれば（Ｓ１１：ＹＥＳ）、制御部１７は、保留音のデータを、保留音データメモリ１９Ａから読出して音声再生機能部１７ａの作用により音声として再生し、スピーカ２３及びモデム３０に入力させる入力動作を行う（Ｓ１２）。ここで、モデム３０及び制御部１７は、判断手段として機能し、保留音が誤検出されるか否かを判断する。この判断は、モデム３０に入力された保留音が、モデム３０からの検出信号を入力する制御部１７によって、例えばＣＮＧ信号等の通信用制御信号と一致するか否かを判断することにより行う。
すなわち、ＣＮＧ信号は１１００Ｈｚで０．５秒間オン、３秒間オフの信号であるので、モデム３０は、保留音としてのメロディ中に、ＣＮＧ信号としての１１００Ｈｚの信号周波数成分が混入することを検出し、その検出信号を入力する制御部１７が０．５秒間オン、３秒間オフの周期を判断することにより行う。そして、保留音としてのメロディ中に、ＣＮＧ信号の１１００Ｈｚで０．５秒間オン、３秒間オフの信号周波数成分が混入する（Ｓ１３：ＹＥＳ）場合、制御部１７は警告手段として機能し、誤検出される旨の警告表示を、液晶ディスプレイ６に表示して（Ｓ１４）、制御部１７は待機状態に戻る。一方、保留音としてのメロディ中に、ＣＮＧ信号の１１００Ｈｚで０．５秒間オン、３秒間オフの信号周波数成分が混入しない（Ｓ１３：ＮＯ）場合、誤検出されない旨を液晶ディスプレイ６に表示して（Ｓ１５）、制御部１７は待機状態に戻る。
【００２４】
このように液晶ディスプレイ６の表示警告より、警告を受けた者は、通信相手に対し送出する保留音が、相手方において例えばＣＮＧ信号等の通信用制御信号と誤検出するおそれがあることが分かるので、図４に示す記憶動作をやり直して、保留音を変更することができる。その結果、相手方のファクシミリ機能を有する電話装置が、通信相手（当方）から送出される保留音を誤って、例えばＣＮＧ信号等の通信用制御信号と検出して、そのファクシミリ機能が動作するといった誤動作を防止することができる。そして、電話装置１を利用する利用者は、当方から送出される保留音が、例えばＣＮＧ信号等の通信用制御信号と検出されないことが確認される状態で、保留音送出ボタン１６ｃを押下するので、相手方のファクシミリ機能を有する電話装置との間で正常な通話を行うことができる。
【００２５】
以上詳細に説明したように、本実施形態の電話装置１は、保留音送出ボタン１６ｃの押下によって、外部回線２５を介して通信相手に対し送出する保留音について、保留音記憶ボタン１６ａ及び保留音再生ボタン１６ｂの両方を押下すると、制御部１７は保留音が例えばＣＮＧ信号等の通信用制御信号と誤検出するか否かを判断する（Ｓ１３）ので、保留音を例えばＣＮＧ信号等の通信用制御信号と誤検出した場合、制御部１７が液晶ディスプレイ６にその旨を表示して警告する。これにより、液晶ディスプレイ６による警告を受けた者は、通信相手に対し送出する保留音が、相手方において通信用制御信号と誤検出するおそれがあることが分かるので、保留音を適宜変更することができる。そのため外部回線２５を介して通信相手に対し送出される保留音に、例えばＣＮＧ信号等の通信用制御信号の信号成分が混入することを防止して、通信相手であるファクシミリ機能を有する電話装置が保留音を通信用制御信号と誤検出して、例えばファクシミリ機能が自動的に動作するといった誤動作を防止できる。
【００２６】
次に、保留音が通信用制御信号と誤検出されるか否かの動作についての他の実施の形態について、図６に基づき説明する。図６は、他の本実施形態のフローチャートである。この実施の形態の場合、電話装置１の機械的構成（図１及び図２参照）及び電気的構成（図３参照）は、前記実施の形態と同様であるので、その記載を援用する。また、保留音の記憶処理（図４参照）については、先の実施の形態と同様である。
Ｓ２１において、制御部１７は保留音再生状態であるか否かを判断する。この判断は、保留音記憶ボタン１６ａ及び保留音再生ボタン１６ｂの両方が押下されたか否かを、制御部１７が検出することにより行う。保留音記憶ボタン１６ａ及び保留音再生ボタン１６ｂの両方が押下されずに、保留音状態でなければ（Ｓ２１：ＮＯ）、制御部１７は待機状態に戻る。
反対に、保留音記憶ボタン１６ａ及び保留音再生ボタン１６ｂの両方が押下されて保留音再生状態であれば（Ｓ２１：ＹＥＳ）、制御部１７は、保留音のデータを、保留音データメモリ１９Ａから読出して音声再生機能部１７ａの作用により音声として再生し、スピーカ２３及びモデム３０に入力させる入力動作を行う（Ｓ２２）。次に、モデム３０及び制御部１７は、判断手段として機能し、保留音が誤検出されるか否かを判断する。この判断は、既述したように、入力された保留音が、制御部１７によって、例えばＣＮＧ信号等の通信用制御信号と一致するか否かを判断することにより行う。
すなわち、ＣＮＧ信号は１１００Ｈｚで０．５秒間オン、３秒間オフの信号であるので、モデム３０は、保留音としてのメロディ中に、ＣＮＧ信号としての１１００Ｈｚの周波数成分が混入することを検出し、その検出信号を入力する制御部１７が、０．５秒間オン、３秒間オフの周期を判断することにより行う。
【００２７】
保留音としてのメロディ中に、ＣＮＧ信号の１１００Ｈｚで０．５秒間オン、３秒間オフの信号周波数成分が混入する（Ｓ２３：ＹＥＳ）場合、制御部１７は変更手段として機能し、保留音を変更して（Ｓ２４）、制御部１７は待機状態に戻る。具体的には、保留音としての１１００Ｈｚで０．５秒間オン、３秒間オフの信号周波数成分を、例えば１１００Ｈｚで０．５秒間オン、４秒間オフ（１秒間だけ無音時間を延長する）の信号周波数成分とするように、その保留音の一部を無音化し、無音化手段として機能する。この場合、制御部１７はミディのデータの内の音符データを用いて、無音時間を１秒間延長することができる。もっとも、無音化手段として、ＣＮＧ信号と誤検出されるおそれがないのであれば、別の態様を採用しても良い。
一方、保留音としてのメロディ中に、ＣＮＧ信号の１１００Ｈｚで０．５秒間オン、３秒間オフの信号周波数成分が混入しない（Ｓ２３：ＮＯ）場合、保留音を変更することなく（Ｓ２５）、制御部１７は待機状態に戻る。
そのため外部回線２５を介して通信相手に対し送出される保留音に、例えばＣＮＧ信号等の通信用制御信号の信号成分が混入することを防止して、通信相手であるファクシミリ機能を有する電話装置が保留音を通信用制御信号と誤検出して、例えばファクシミリ機能が動作するといった誤動作を防止できる。
【００２８】
次に、保留音が通信用制御信号と誤検出されるか否かの動作につき、更に他の実施の形態について、図７に基づき説明する。図７は、更に他の本実施形態のフローチャートである。この実施の形態の場合、電話装  置１の機械的構成（図１及び図２参照）及び電気的構成（図３参照）は、前記実施の形態と同様であるので、その記載を援用する。また、保留音の記憶処理（図４参照）については、先の実施の形態と同様である。
Ｓ３１において、制御部１７は保留音再生状態であるか否かを判断する。この判断は、保留音記憶ボタン１６ａ及び保留音再生ボタン１６ｂの両方が押下されたか否かを制御部１７が検出する。保留音記憶ボタン１６ａ及び保留音再生ボタン１６ｂの両方が押下されずに、保留音再生状態でなければ（Ｓ３１：ＮＯ）、制御部１７は待機状態に戻る。
反対に、保留音記憶ボタン１６ａ及び保留音再生ボタン１６ｂの両方が押下されて保留音再生状態であれば（Ｓ３１：ＹＥＳ）、制御部１７は、保留音のデータを、保留音データメモリ１９Ａから読み出して音声再生し、スピーカ２３及びモデム３０に入力させる入力動作を行う（Ｓ３２）。次に、モデム３０及び制御部１７は、判断手段として機能し、保留音が誤検出されるか否かを判断する。この判断は、前記と同様にして、入力された保留音が、モデム３０及び制御部１７によって例えばＣＮＧ信号等の通信用制御信号と一致するか否かを判断することにより行うことができる。
すなわち、ＣＮＧ信号は１１００Ｈｚで０．５秒間オン、３秒間オフの信号であるので、既述したように、保留音としてのメロディ中に、ＣＮＧ信号の１１００Ｈｚで０．５秒間オン、３秒間オフの信号周波数成分が混入するかを判断することにより行うことができる。
【００２９】
保留音としてのメロディ中に、ＣＮＧ信号としての１１００Ｈｚで０．５秒間オン、３秒間オフの信号周波数成分が混入する（Ｓ３３：ＹＥＳ）場合、制御部１７は変更手段として機能し、保留音を編曲して（Ｓ３４）、制御部１７は待機状態に戻る。具体的には、保留音としての１１００Ｈｚで０．５秒間オン、３秒間オフの信号周波数成分を、例えば８００Ｈｚ（信号周波数成分の周波数を３００Ｈｚだけ低減する）で、０．５秒間オン、３秒間オフの信号周波数成分とするように、保留音の編曲して編曲手段として機能する。この場合、制御部１７はミディのデータの内の音階データを用いて、１オクターブだけ音階を変更して、保留音としての信号周波数成分の周波数を変更することができる。もっとも、編曲手段として、別の態様を採用しても良い。
一方、保留音としてのメロディ中に、ＣＮＧ信号の１１００Ｈｚで０．５秒間オン、３秒間オフの信号周波数成分が混入しない（Ｓ３３：ＮＯ）場合、保留音を変更することなく（Ｓ３５）、制御部１７は待機状態に戻る。
そのため外部回線２５を介して通信相手に対し送出される保留音に、例えばＣＮＧ信号等の通信用制御信号の信号成分が混入することを防止して、通信相手であるファクシミリ機能を有する電話装置が、保留音を通信用制御信号と誤検出して、例えばファクシミリ機能が動作するといった誤動作を防止できる。
【００３０】
尚、本発明は本実施形態に限定されるものではなく、本発明の主旨を逸脱しない範囲内で種々の改良、変形が可能であることはもちろんである。例えば、通信用制御信号を検出する検出手段（モデム及び制御部）に、保留音を入力する態様以外に、保留音を記憶するメモリ内において、通信用制御信号と一致するデータがあるか否かを検出してもよく、このような実施形態においては、電話装置は必ずしもファクシミリ機能を具備する必要がない。また、電話装置をファクシミリ装置と並列接続する態様、あるいは、ファクシミリ装置に対して外付け接続する態様であってもよい。
特に、保留音を記憶するメモリ内において、誤検出するか否かを判断を行うようにした実施態様であれば、モデム３０の持つ音声再生機能を利用して、保留音を再生するようにした製品（ファクシミリ機能付き電話装置）に容易に適用可能となる。
ところで、保留音がＣＮＧ信号等の通信用制御信号と誤検出されるか否かの判断は、通信相手の装置がどのような条件で通信用制御信号を検出しているかが考慮されるべきものであって、例えば、１１００Ｈｚの周波数信号が０．５秒間オンしたのち、３秒経過するまでもなく、ＣＮＧ信号であるとみなすような製品（装置）があると想定されるならば、そのような信号周波数成分を含む保留音も誤検出されるとの判断を行うようにする必要があることは勿論である。
また、保留音がビジー・トーン信号等の通信用制御信号と一致するか否かを検出してもよい。そして、保留音が通信用制御信号と誤検出されるか否かの動作の際の、誤検出状態の警告報知については、液晶ディスプレイ６に表示する他に、メロディ、ブザー音等の警告音等により行っても良い。
また、ユーザーが作曲したメロディを、電話装置内のメモリに記憶させて使用する場合、メモリに保留音として記憶した直後に、通信用制御信号と一致するかについて判断してもよい。また、保留音として記憶する前に判断するようにしても良いし、例えば作曲したメロディについて、全てメモリに記憶した後に、通信用制御信号の信号周波数成分が混入するかについて判断してもよい。
また、電話装置のユーザーが、音楽データの配信サービス会社やインターネットを通じて、メロディをダウンロードした際に、直ちに通信用制御信号と一致するかについて誤検出するか否かを判断してもよいし、全てメロディをメモリにダウンロードした後に、通信用制御信号の信号周波数成分が混入するかについて判断してもよい。
更に電話装置は必ずしもファクシミリ機能のみを具備する必要なく、例えばコンピュータ機能とか、計算機能とか、文書編集機能等を有していてもよい。
【００３１】
【発明の効果】
以上説明したとおり、請求項１に記載の電話装置によれば、保留部材の操作によって、電話回線を介して通信相手に対し送出する保留音について、判断手段が、その保留音を通信用制御信号と誤検出されるおそれがあると判断した場合、警告手段がその旨を警告するので、警告手段より警告を受けた者は、通信相手に対し送出する保留音が、相手方において通信用制御信号と誤検出するおそれがあることが分かるので、保留音を適宜変更することができる。そのため電話回線を介して通信相手に対し送出される保留音に、例えばＣＮＧ信号等の通信用制御信号の信号成分が混入することを防止して、通信相手であるファクシミリ機能を有する電話装置が保留音を通信用制御信号と誤検出して、例えばファクシミリ機能が動作するといった誤動作を防止できる。
【００３２】
また、請求項２に記載の電話装置によれば、保留部材の操作によって、電話回線を介して通信相手に対し送出する保留音について、判断手段が、その保留音を通信用制御信号と誤検出されるおそれがあると判断した場合、変更手段が保留音を変更する。
これにより、通信相手に対し送出する保留音が、相手方において通信用制御信号と誤検出されるおそれがあるおそれがある場合、保留音が適宜変更されるので、電話回線を介して通信相手に対し送出される保留音に、例えばＣＮＧ信号等の通信用制御信号の信号成分が混入することを防止できる。そのため通信相手であるファクシミリ機能を有する電話装置が保留音を通信用制御信号と誤検出して、例えばファクシミリ機能が動作するといった誤動作を防止できる。
【００３３】
また、請求項３に記載の電話装置によれば、保留部材の操作によって、電話回線を介して通信相手に対し送出する保留音を検出手段に入力することができ、判断手段が、保留音を通信用制御信号と誤検出すると判断した場合、警告手段がその旨を警告する。
これにより、警告手段より警告を受けた者は、通信相手に対し送出する保留音が、相手方において通信用制御信号と誤検出するおそれがあることが分かるので、保留音を適宜変更することができる。そのため電話回線を介して通信相手に対し送出される保留音に、例えばＣＮＧ信号等の通信用制御信号の信号成分が混入することを防止して、通信相手であるファクシミリ機能を有する電話装置が保留音を通信用制御信号と誤検出して、例えばファクシミリ機能が動作するといった誤動作を防止できる。
【００３４】
また、請求項４に係る電話装置によれば、保留部材の操作によって、電話回線を介して通信相手に対し送出する保留音を検出手段に入力することができ、その検出手段が、保留音を通信用制御信号と誤検出すると判断した場合、変更手段は保留音を変更する。
これにより、通信相手に対し送出する保留音が、相手方において通信用制御信号と誤検出するおそれがある場合、保留音が適宜変更されるので、電話回線を介して通信相手に対し送出される保留音に、例えばＣＮＧ信号等の通信用制御信号の信号成分が混入することを防止できる。そのため通信相手であるファクシミリ機能を有する電話装置が保留音を通信用制御信号と誤検出して、例えばファクシミリ機能が動作するといった誤動作を防止できる。
【００３５】
また、請求項５に記載に電話装置によれば、通信用制御信号は、コーリング・トーン（ＣＮＧ）信号またはビジー・トーン信号であるので、保留音が適宜変更される結果、通信相手であるファクシミリ機能を有する電話装置が、変更された保留音を、コーリング・トーン（ＣＮＧ）信号またはビジー・トーン信号と誤検出するのを防止できる。
【００３６】
また、請求項６に記載の電話装置によれば、変更手段は、前記保留音を編曲する編曲手段であるので、通信相手に対し送出する保留音が編曲される結果、電話回線を介して通信相手に対し送出される保留音を、例えばＣＮＧ信号等の通信用制御信号の信号成分が混入することを防止でき、ファクシミリ機能が動作するといった誤動作を防止できる。
【００３７】
また、請求項７に記載の電話装置によれば、変更手段は、前記保留音の一部を無音にする無音化手段であるので、通信相手に対し送出する保留音が一部無音化される結果、電話回線を介して通信相手に対し送出される保留音に、例えばＣＮＧ信号等の通信用制御信号の信号成分が混入することを防止でき、ファクシミリ機能が動作するといった誤動作を防止できる。
【図面の簡単な説明】
【図１】本実施形態に係る電話装置の外観斜視図である。
【図２】本実施形態に係る電話装置の操作パネルユニットの平面図である。
【図３】本実施形態に係る電話装置の制御系を示すブロック図である。
【図４】本実施形態に係る電話装置が保留音の記憶状態の処理を表すフローチャートである。
【図５】本実施形態に係る電話装置が、保留音が通信用制御信号と誤検出されるか否かの動作の処理を表すフローチャートである。
【図６】保留音が通信用制御信号と誤検出されるか否かの動作についての他の実施の形態の処理を表すフローチャートである。
【図７】保留音が通信用制御信号と誤検出されるか否かの動作について、更に他の実施の形態の処理を表すフローチャートである。
【符号の説明】
１      電話装置
２      装置本体
５      操作パネルユニット
６      液晶ディスプレイ
１０    受話器
１１    ダイアルキー
１６    機能ボタン
１６ａ  保留音記憶ボタン
１６ｂ  保留音再生ボタン
１６ｃ  保留音送出ボタン
１７    制御部
１７ａ  音声再生機能部
１９Ａ  保留音データメモリ
２１    ＦＡＸ部
２４    ＮＣＵ
２５    外部回線(電話回線)
３０    モデム
【図１】
0004122678.tif 000002
【図２】
0004122678.tif 000003
【図３】
0004122678.tif 000004
【図４】
0004122678.tif 000005
【図５】
0004122678.tif 000006
【図６】
0004122678.tif 000007
【図７】
0004122678.tif 000008